(57)【要約】      （修正有）【課題】前面パネルを容易に取り外しでき、かつ振動や衝撃に対して前面パネルが外れることのない電子機器を提供する。【解決手段】ケース２０と、ケースの開口部に取り付けられ、ケースの開口部に着脱可能に取り付けられる前面パネル１０と、前面パネルに保持されてケース内に収納される回路基板１５とを有し、ケース内には端子２５と電気的に接続するコネクタ２５ｂが設けられ、前面パネル及びケースの夫々にはこれらを係合固定する係合部１９，２９が設けられ、回路基板一側端部がコネクタを介して端子と電気的に接続され、係合部はケース内部に形成され、係合部の係合を解除する受力部１９ｂが係合部の所定位置に設けられ、前面パネルには挿入孔４０が形成され、挿入孔を通してケース内部に挿入される工具Ｄから受力部が受けた外力によって係合部の係合が解除されて前面パネル１０と回路基板１５がケースから取り外し可能になる。【選択図】図１
2005108897.tif 000002
【特許請求の範囲】
【請求項１】
一端に端子を備え他端が開口した筒型のケースと、
前記ケースの開口部に着脱可能に取り付けられる前面パネルと、
前記前面パネルに保持されて前記ケース内に収納される回路基板とを有し、
前記ケースの内側には前記端子と電気的に接続するコネクタが設けられ、
前記前面パネル及び前記ケースのそれぞれには当該前面パネル及びケースを互いに係合固定する係合部が設けられ、
前記回路基板の一側端部が前記コネクタに着脱可能に取り付けられて前記端子と電気的に接続される電子機器において、
前記係合部が前記ケースの内部側に形成され、
前記係合部の係合を解除するための外力を受ける受力部が前記係合部の所定位置に設けられ、
前記前面パネルには挿入孔が形成され、
前記挿入孔を通して前記ケース内部に挿入される工具から前記受力部が受けた外力によって前記係合部の係合が解除可能になり、前記前面パネル及び回路基板が前記ケースから取り外し可能になることを特徴とする電子機器。
【請求項２】
前記係合部の係合が解除された前面パネルを前記ケースから離間させるための外力を前記工具から前記前面パネルに及ぼす前記工具の回転支点用縁部が前記ケースに形成されていることを特徴とする、請求項１に記載の電子機器。
【請求項３】
前記前面パネルと前記ケースとの重なり部には全周にわたって防沫防塵用パッキンが介装されていることを特徴とする、請求項１又は請求項２に記載の電子機器。
【発明の詳細な説明】
【技術分野】
【０００１】
本発明は、回路基板を備えた前面パネルをケース内部に収納した電子機器に関し、特に当該回路基板の修理・交換に優れた電子機器に関するものである。
【背景技術】
【０００２】
従来から前面パネルをケースから取り外し可能な構造をもった電子機器が知られている（例えば、特許文献１参照）。かかる特許文献１に記載された電子機器５は、図１２に示すように、前面パネル５０とケース６０とを備え、前面パネル５０は、押すことでラッチ機構が働いて前面パネル５０をケース６０から取り外せる操作ノブ５１と、ケース６０との結合部の外周に設けられた溝５２と、前面パネル５０とケース６０とをシールするゴムパッキン７０を有している。ゴムパッキン７０は前面パネル５０とほぼ同一形状を有するリング状を有しており、前面パネル５０に取り付けた際に溝５２にちょうど嵌り込むようになっている。また、ゴムパッキン７０の所定位置に操作ノブ５１を被覆するパッキンカバー部７１が備わっている。
【０００３】
【特許文献１】実公平７−１６９７５号（２頁、第１図）
【発明の開示】
【発明が解決しようとする課題】
【０００４】
上述のように、特許文献１に記載された従来の電子機器５は、制御盤Ｐに取り付けられる計器であるが、制御盤Ｐの前面から突出した部分に前面パネル５０をケース６０から取り外すラッチ係合解除用の操作ノブ５１を有する。また、上述したように、前面パネル５０とケース６０との結合部にゴムパッキン７０を取り付け、さらに前面パネル取り外し用の操作ノブ５１の上を覆う形でパッキンカバー部７１を設けることで外部からの塵、埃、水の浸入を防止し、それによって計器内を保護するようになっている。
【０００５】
すなわち、操作ノブ５１にゴムパッキン７０の一部を被せてその部分を押すことで、操作ノブ５１を変位させてラッチ係合を解除している。従って、操作ノブ５１とパッキンカバー部７１との部分を作業者が押し易いようにある程度のスペースが必要となる。そのため、操作ノブ５１の部分のスペースを確保する必要上、制御盤Ｐからの前面パネル５０の突出量が大きくなり（図１２中の突出量Ａ参照）、美観を損なう。また、制御盤Ｐからの突出量が大きいと突出部の上面に塵埃が堆積しやすくなるので、特にクリーンルームにおける利用に適さなくなる。
【０００６】
また、ゴムパッキン７０は柔らかいので、作業者が押してもこの押した分が弾性体であるゴムパッキン７０のつぶれ量によって吸収されてしまい、実際にラッチ片５７がどの程度変位しているのか分からない。
【０００７】
一方、近年の電子機器はその高機能化に伴い、収納するプリント基板５５の数も増加しており、これに対応して多数の端子６５がケース６０の背面に取り付けられている。そして、端子６５のケース内側部分とプリント基板５５の一側端部とでカードエッジコネクタを形成して電気的接続を図っている。このように、収納するプリント基板５５の数が増加することによって端子６５の数が多くなり、これに応じてカードエッジコネクタの嵌合を解除するために大きな力が必要になる。そのため、作業者の握力だけでは前面パネルを計器から取り外し難い場合が生じている。
【０００８】
また、特許文献１に記載されたような構造を有すると、操作ノブ５１を押してラッチ係合解除の状態を保ちながら前面パネル５０をケース６０から作業者が直接手で引っ張り出さなければならないので、作業自体がやり難い問題もある。
【０００９】
本発明の目的は、制御盤に取り付けた際の前面パネルの突出量が小さく、かつ必要に応じて前面パネルを容易に取り外しでき、かつ通常の使用状態では振動や衝撃に対して前面パネルが不用意に外れることのない電子機器を提供することにある。
【課題を解決するための手段】
【００１０】
上述の課題を解決するために、本発明にかかる電子機器は、一端に端子を備え他端が開口した筒型のケースと、ケースの開口部に着脱可能に取り付けられる前面パネルと、前面パネルに保持されてケース内に収納される回路基板とを有し、ケースの内側には端子と電気的に接続するコネクタが設けられ、前面パネル及びケースのそれぞれには当該パネル及びケースを互いに係合固定する係合部が設けられ、回路基板の一側端部がコネクタに着脱可能に取り付けられて端子と電気的に接続される電子機器において、係合部がケースの内部側に形成され、係合部の係合を解除するための外力を受ける受力部が係合部の所定位置に設けられ、前面パネルには挿入孔が形成され、挿入孔を通してケース内部に挿入される工具から受力部が受けた外力によって係合部の係合が解除可能になり、前面パネル及び回路基板がケースから取り外し可能になることを特徴としている。
【００１１】
従来は制御盤からの突出部に前面パネルとケースとの係合を解除する操作ノブを設けていたので、制御盤からの前面パネルの突出量が大きくなっていた。
【００１２】
しかしながら、本発明は、係合部をケース内部に設けてマイナスドライバー等の棒状工具をケース内に差し込むことで係合部の係合を解除して前面パネルをケースから容易に外す構成をとっている。
【００１３】
これによって、作業者が直接手で係合を解除する際に必要とされる操作ノブを前面パネルに設ける必要がなくなる。その結果、操作ノブの部分のスペースを制御盤からの前面パネルの突出部分に確保する必要が無くなり、制御盤からの前面パネルの突出量を小さくでき、美観を損なわずに済む。また、制御盤からの突出量を小さくすることで突出部の上面に塵埃が堆積し難くなり、特にクリーンルームなどでの利用にも適するようになる。
【００１４】
また、本発明の請求項２に記載の電子機器は、請求項１に記載の電子機器において、係合部の係合が解除された前面パネルをケースから離間させるための外力を工具から前面パネルに及ぼす工具の回転支点用縁部がケースに形成されていることを特徴としている。
【００１５】
収納するプリント基板の数が増加することに応じて端子の数が増えて、コネクタの嵌合を解除するために大きな力が必要になった場合でも、このような構造をとることでテコの原理を利用して前面パネルをケースから簡単に取り外すことができる。
【００１６】
また、本発明の請求項３に記載の電子機器は、請求項１又は請求項２に記載の電子機器において、前面パネルとケースとの重なり部には全周にわたって防沫防塵用パッキンが介装されていることを特徴としている。
【００１７】
ケースと前面パネルとの間にパッキンが介装されていると、パッキンの密着力によってケースから前面パネルを引き出しにくくなるが、上述した構成によると作業者が手によらず工具を用いてテコの原理によりケースから前面パネルを外すことができるので、このようなパッキンの密着力によって前面パネルがケースから外れ難くなることはない。
【発明の効果】
【００１８】
本発明は、作業者が前面パネルとケースとの係合を直接手で解除するためのノブを前面パネルに設ける必要がなくなるので、前面パネルの突出量が小さくなり、美観を保つと共に突出部に塵埃が堆積し難くなり、クリーンルームなどにおける利用に適するようになる。
【００１９】
また、挿入孔に例えばマイナスドライバー等の棒状工具を差し込むだけで前面パネルとケースとの係合を簡単に解除し、その状態でさらに棒状工具を回転させることで前面パネルをケースから簡単に外すことができる。すなわち、簡単な一連の動作によって前面パネルをケースから外すことを可能とする。これによって、端子数の多い電子機器であっても前面パネルを必要に応じて簡単に取り外すと共に、振動や衝撃に対して前面パネルがケースから不容易に取れないようにする。
【００２０】
また、前面パネルとケース間にシールパッキンを備えた場合であっても、パッキンの密着力に抗して前面パネルをケースから簡単に取り外すことができるようになる。
【発明を実施するための最良の形態】
【００２１】
以下、本発明の一実施形態にかかる電子機器を図面に基づいて説明する。本発明の一実施形態にかかる電子機器１は、図１に示すように、電子部品の実装されたプリント基板（回路基板）１５を収納するケース２０と、ケース２０の開口部２０ａに着脱可能に取り付けられた前面パネル１０とを備えている。そして、前面パネル１０には、ケース２０と前面パネル１０との隙間に介装されてケース内部に塵埃や水が浸入するのを防止するシールパッキン１３を備えている。
【００２２】
ケース２０はある程度の強度を有する樹脂でできており、図１に示すように、有底の四角筒型形状を有している。また、ケース前面の開口部側には段部２０ｂが形成されている。段部２０ｂはケース２０を制御盤Ｐの前方から制御盤内に挿入したとき、当該段部２０ｂでケース２０を制御盤Ｐに当接させ、図示しないブラケットを介して、当該段部２０ｂとブラケットとで制御盤Ｐを挟み込み、電子機器１を制御盤Ｐに固定する役目を果たしている。
【００２３】
また、ケース側面（図１中、下側面）の開口部側には、ラッチ係合孔２９が形成されている。ラッチ係合孔２９は、前面パネル１０に一体に形成されたラッチ１９と係合して、前面パネル１０をケース２０に固定する役目を果たしている。なお、ラッチ係合孔２９とラッチ１９とで係合部を構成している。
【００２４】
また、ケース２０の開口部２０ａには、シールパッキンを弾性変形させて密封状態を保ったまま前面パネル１０を受け入れる前方張り出し部２０ｃが形成されている。
【００２５】
また、ケース２０の底部（図中、右端部）には複数の端子２５が取り付けられている。そして、端子２５はそれぞれ、図１に示すように、ケース外部側にネジ部２５ａを備えるとともに、ケース内部側にはケース内部に収納されたプリント基板後端の金パッド（図示せず）と弾性接触する弾性片（コネクタ）２５ｂを備えている。そして、ケース内に収納されたプリント基板１５の金パッドとカードエッジコネクタの形態で電気的に導通するようになっている。これによってケース内部のプリント基板１５に実装された電子部品（図示せず）と電気機器外部との接続を可能としている。
【００２６】
前面パネル１０は、図２に示すように、ラバーキーからなる操作スイッチ１１ａとＬＥＤからなる表示器１１ｂ等を備えたパネル本体１１と、パネル本体前面に両面テープを介して全体的に貼着されるパネルマスク１２と、パネル本体１１とパネルマスク１２とに挟まれてケース内への塵埃や水の浸入を防止するシールパッキン１３とを有している。
【００２７】
パネル本体１１はパネル本体上下縁部からケース内部側に向かって垂設する互いに離間した後方延在部１１ｇをその背面に備えている。後方延在部１１ｇは互いの後方延在部間でプリント基板を挟み込んで複数のプリント基板１５（図２では図示せず）を並列配置可能としている。また、一方の後方延在部（図中、下方の後方延在部）１１ｇには、図２には図示しないが、ケース２０のラッチ係合孔２９と係合して前面パネル１０をケース２０に固定するラッチ１９が形成されている（図１参照）。ラッチ１９は、後方延在部１１ｇの略中央部分に形成されると共に、図１に示すような形態でその一部を後端で折り返して前面パネル側に延在させた片持ち梁形状を有している。そして、ラッチ１９の図中下側にはケース２０のラッチ係合孔２９と係合する凸状部１９ａが形成されている。また、ラッチ１９の前方自由端部にはラッチ変位用のテーパ部（受力部）１９ｂが形成され、テーパ部１９ｂのテーパ面は後述する挿入孔４０に面している。なお、テーパ部１９ｂはマイナスドライバーＤ等の棒状工具を挿入孔４０に挿入したとき、工具先端が当該テーパ部１９ｂに当って合成樹脂製の片持ち梁の部分を弾性変形により撓ませて凸状部１９ａを変位させるためのものである。なお、凸状部１９ａの変位量はケース２０のラッチ係合孔２９と凸状部１９ａとの係合が解除するのに十分な変位量となっている。
【００２８】
一方、前面パネル１０のパネル本体１１の前面縁部にはシールパッキン嵌合用段部１１ｃが縁部全体にわたって形成されている（図２参照）。また、パネル本体１１の前面縁部の所定位置であって、裏面にラッチ１９が形成された位置には、ケース内部にマイナスドライバーＤを挿入するための切欠き１１ｄが形成されている。そして、切欠き１１ｄの近傍には、切欠き１１ｄの形状に対応した凹み部１１ｅが形成されており、当該凹み部１１ｅに後述する挿入孔４０を塞ぐプラグ４１を取り付けるための凸部１１ｆが複数形成されている。
【００２９】
パネルマスク１２はパネル本体１１の形状に合致するような矩形形状を有し、パネル本体１１の切欠き１１ｄと合致する切欠き１２ｄを備えている。また、パネル本体１１の表示器１１ｂに対応する位置は透明に形成されており、外部から表示内容を認識し易いようになっている。また、パネル本体１１の操作スイッチ１１ａに対応する位置は打ち抜かれて操作スイッチ１１ａを直接操作可能となっている。
【００３０】
シールパッキン１３はパネル本体１１やパネルマスク１２の外形と合致してパネル本体１１の段部１１ｃにちょうど嵌合する程度の四角枠形状を有している。また、シールパッキン１３の、パネル本体切欠き１１ｄの形成位置に対応する部分は幅広になってこの部分に角孔１３ｄが形成されている。また、この角孔１３ｄとは別にシールパッキン１３の内側には、図３に一部を示すように、パッキンずれ防止用の耳部１３ｂが所定間隔隔てて複数形成され、当該耳部１３ｂにはそれぞれ係合凹部１３ｃが形成されている。なお、係合凹部１３ｃは、パネル本体１１の適所に形成された図示しないシールパッキン固定用凸部に嵌ることでシールパッキン１３を仮止めすると共に、パネル本体１１からのシールパッキン１３のずれを防止する役目を果たしている。
【００３１】
なお、シールパッキン１３はパネル本体１１とパネルマスク１２とで挟まれたとき、シールパッキン１３の外周部分がパネル本体１１やパネルマスク１２に対して平面視で一部はみ出すようになっている（（図４（ａ）参照）。そして、この状態で前面パネル１０をケース２０に取り付けると、シールパッキン１３の突出部がケース２０の開口部内壁によって圧縮され、ケース２０と前面パネル１０とをシールするようになっている（（図４（ｂ）参照）。
【００３２】
一方、シールパッキン１３の角孔１３ｄ（図２参照）はエラストマーやゴム等の弾性材料からなるプラグ４１によって塞がれるようになっている。プラグ４１は異型の細長矩形形状を有し、一端に２つの取付孔４１ｂが形成されるとともに、プラグ４１の中央部近傍には角孔１３ｄを塞いでシールするのに十分な大きさのシール凸部４１ａが形成されている。そして、取付孔４１ｂをパネル本体１１の切欠き近傍に形成された凸部１１ｆに嵌めた状態でパネルマスク１２をパネル本体１１に接着する。これによってプラグ４１の一端が固定され、プラグ４１を前面パネル１０に取り付けることができる。また、この状態でシール凸部４１ａを角孔１３ｄに押し込むことで角孔１３ｄをシール可能としている。
【００３３】
なお、本実施形態の場合、パネル本体１１の切欠き１１ｄ及びパネルマスク１２の切欠き１２ｄと、シールパッキン１３の角孔１３ｄと、ケース２０の開口縁部２０ｄ（図１参照）とが協働して挿入孔４０を形成している。
【００３４】
このように構成することで、前面パネル１０をケース２０に取り付けた状態で前面パネル１０の周囲とケース２０の開口内壁２０ｆとの間に生じる隙間をシールパッキン１３でシールすると共に、挿入孔４０をプラグ４１でシールすることができる。そして、ケース内部に水や塵埃が浸入するのを阻止している。
【００３５】
一方、挿入孔４０に位置するケース２０の開口縁部２０ｄは、マイナスドライバーＤ等の工具（以下、これらの棒状工具を代表して「マイナスドライバーＤ」とする）を挿入してラッチ１９を変位させた状態で、シールパッキン１３の角孔１３ｄを介してマイナスドライバーＤの一部が押し当てられる位置に形成されている。その上、この押し当て部を支点としてマイナスドライバーＤをさらに回転させると、テコの原理により工具先端が前面パネル１０をケース２０から押し出し可能な寸法形状となっている。
【００３６】
続いて、制御盤Ｐに取り付けられた電子機器１の前面パネル１０をケース２０から取り外す手順について具体的に説明する。なお、図５以降のラッチ１９の形状は図１に示したラッチの形状と厳密には一致しないが、その作動原理は両者同一である。
【００３７】
前面パネル取り外し前は、図５（ａ）の全体断面図及び図５（ｂ）の拡大断面図に示すように、ケース下部のラッチ係合孔２９に前面パネル１０のラッチ１９が係合するとともに、前面パネル１０に固定されたプリント基板１５がケース後部の端子の弾性爪２５ｂ（図５では図示せず）に挟持されることで前面パネル１０はケース２０に固定されている。図６は、このような状態にある電子機器１の前面パネル１０に棒状工具の一種であるマイナスドライバーＤ（図中、先端部分のみ図示）を近づけた状態を表している。
【００３８】
ここで、図７（ａ）の全体断面図及び図７（ｂ）の拡大断面図に示すように、プラグ４１をつまみ上げて挿入孔４０を開き、図中斜め下より、マイナスドライバーＤの先端を挿入孔４０に挿入する。
【００３９】
このように、マイナスドライバーＤを図示する方向に押し込むことにより、ラッチ１９のテーパ部１９ｂに当ったマイナスドライバーＤの先端がラッチ１９を撓ませながらさらに挿入孔内部に進入する（図８（ｂ）の矢印参照）。なお、図９は、マイナスドライバーＤの先端を挿入孔４０の内部に差し込んだ状態を表している。
【００４０】
ラッチ１９が撓むことでラッチ１９の凸状部１９ａも図７（ｂ）の拡大断面図に示す状態から図８（ｂ）の拡大断面図に示すような状態まで変位してケース２０のラッチ係合孔２９と凸状部１９ａとの係合が解除される。これによって、ケース２０と前面パネル１０のラッチ係合が解除される。
【００４１】
続いて、このようにマイナスドライバーＤの端部を挿入孔４０に挿入したまま、図１０（ａ）の全体断面図及び図１０（ｂ）の拡大断面図に示すようにマイナスドライバーＤを図中反時計方向（図中、矢印ＣＣ方向）に若干回転させる。これによって、挿入孔４０の開口縁部２０ｄを支点としたテコの原理により、前面パネル１０の内側縁部（ケース内部側縁部）にマイナスドライバー先端部が力Ｆを作用させて前面パネル１０がケース２０から引き出される。この際、ケース２０の上方内壁には前面パネル１０に取り付けられたプリント基板１５の上縁部が全体的に接触しているので、プリント基板１５がケース２０の内壁から全体的に反力を受けて前面パネル１０は、その引き出し方向に対して傾くことなくケース２０の開口部から離間する方向に平行にずれる。図１１はこのようにして前面パネル１０をケース２０から外した直後の状態を示している。
【００４２】
なお、ケース２０に前面パネル１０が完全に取り付けられた状態では、前面パネル１０に取り付けられたプリント基板１５の複数のパッド部が端子２５の複数の弾性爪２５ｂにそれぞれ嵌合しているので、これらの間に弾性挟持力や静止摩擦力が作用して大きな嵌合力で両者が嵌合している。しかしながら、マイナスドライバーＤを用いたテコの原理により、両者の完全嵌合状態を容易に解除して半嵌合状態に導くことができ、その後、作業者が手で前面パネル１０をケース２０から引き出すことができるようになる。
【００４３】
同じく、ケース２０に前面パネル１０が完全に取り付けられた状態では、
前面パネル１０とケース２０の開口内壁２０ｆ（図４参照）との間にシールパッキン１３が介装され、当該シールパッキン１３が前面パネル１０及びケース２０と摩擦力で密着しており、シール状態が保たれている。そのため、この状態において作業者が手でケース２０から前面パネル１０を取り外そうとしても、上述したコネクタ間の嵌合力に加えてシールパッキン１３の密着力がこの取り外しに際しての阻害要因となるが、マイナスドライバーＤを用いたテコの原理により、このような密着力に抗してケース２０から前面パネル１０を容易に取り外すことができる。
【００４４】
以上、説明したように、上述の実施形態にかかる電子機器１は、制御盤Ｐからの前面パネル１０の突出量が小さいので、制御盤Ｐへの取付け状態において美観を保つと共に、突出部上面に塵埃が堆積し難くなり、特にクリーンルームにおいての利用に適するようになる。
【００４５】
また、制御盤Ｐから前面パネル１０がほとんど突出していない構造にもかかわらず、例えばマイナスドライバーＤ等の棒状工具を差し込むことでラッチ１９を簡単に解除し、その状態でさらにマイナスドライバーＤを回転させることで前面パネル１０をケース２０から簡単に外すことができる。すなわち、必要に応じて前面パネル１０をケース２０から一つの連続的な動作で簡単に取り外すことができる。その一方、振動や衝撃等によって前面パネル１０がケース２０から不容易に外れることがない。
【００４６】
また、電子機器機器内部に多数のプリント板を収納すると、コネクタ部の嵌合力が増大して前面パネルをケースから外すのに手間がかかるが、このように制御盤Ｐからの前面パネルの突出量が小さい場合であっても、本実施形態の構成をとることでケースから前面パネルを容易に取り外すことができる。
【００４７】
なお、本実施形態の構造とは異なり、制御盤Ｐに取り付けられないタイプの電子機器であっても、プリント基板１５を備えた前面パネル１０をケース２０に取り付けた構造の電子機器であれば、本発明を適用することで前面パネル１０とケース２０とのラッチ係合を簡単に解除できるとともに、前面パネル１０に取り付けられたプリント基板１５のコネクタとケース２０の端子２５との間に作用する大きな嵌合力に抗して前面パネル１０をケース２０から容易に取り外すことが可能となる。
【００４８】
また、本実施形態の構造とは異なり、シールパッキン１３を備えない電子機器であっても本発明は適用可能である。しかしながら、シールパッキン１３を備えた電子機器に本発明を適用した場合、シールパッキン１３とケース間、及びシールパッキンと前面パネル間の密着に伴うケースからの前面パネルの外れ難さという特有の問題を併せて解決可能である。
【００４９】
なお、上述の実施形態と異なり、ラッチが前面パネルに形成されていることに代えてケースに形成され、ラッチ係合部がケースに形成されていることに代えて、前面パネルに形成されていても、上述の実施形態と同等の作用を発揮することができることは言うまでもない。
【００５０】
なお、上記では片持ち梁によるラッチ方式の係合部を例示したが、係合部の構造はこれに限定されるものではない。外力によって係合が解除される機構として種々のものが公知であり、その中から発明の実施の形態に応じて適当な機構を採用することができる。
【産業上の利用可能性】
【００５１】
本発明はシールパッキンを備えて制御盤に取り付けられる電子機器に適用するのに特に優れる。しかしながら、プリント基板を備えた前面パネルをケースに取り付けた構造の電子機器であれば、制御盤に取り付けられないタイプの電子機器であっても、シールパッキンを備えない電子機器であっても本発明を適用可能である。
【図面の簡単な説明】
【００５２】
【図１】本発明の一実施形態にかかる電子機器を制御盤に取り付けた状態で示す断面図である。
【図２】本発明の一実施形態にかかる電子機器の前面パネルの分解斜視図である。
【図３】図１及び図２に示した前面パネルに備わったシールパッキンを部分的に示す図である。
【図４】図１及び図２に示したシールパッキンが前面パネルとケースとの間でシール性を確保することを説明する断面図であり、前面パネルをケースに取り付ける前の状態の断面図（図４（ａ））及び前面パネルをケースに取り付けた状態の断面図（図４（ｂ））である。
【図５】本発明の一実施形態にかかる電子機器の前面パネルをケースから取り外す手順を示す説明図であり、前面パネルとケースとを全体的に示した断面図（図５（ａ））及び一部を拡大して示した断面図（図５（ｂ））である。
【図６】マイナスドライバーを前面パネルの挿入孔に挿入する直前の状態を示した斜視図である。
【図７】図５に続いてマイナスドライバーを挿入孔に差し込んだ状態を全体的に示した断面図（図７（ａ））及び挿入孔の部分を示した拡大断面図（図７（ｂ））である。
【図８】図７に続いてマイナスドライバーを挿入孔に差し込んでラッチ係合を解除した状態を示した全体断面図（図８（ａ））及び挿入孔の部分を示した拡大断面図（図８（ｂ））である。
【図９】図６に続く図であり、マイナスドライバーを挿入孔にさらに差し込んだ状態を示す斜視図である。
【図１０】図８に続く図であり、マイナスドライバーを挿入孔のケースの開口縁部を支点として回転させて前面パネルをケースから外した状態を示した全体断面図（図１０（ａ））及び挿入孔の部分を示した拡大断面図（図１０（ｂ））である。
【図１１】図９に続く図であり、マイナスドライバーを挿入孔に差し込んだ状態でケースの開口縁部を支点として回転させた状態を示す斜視図である。
【図１２】従来の電子機器を制御盤に取り付けた状態で示す断面図である。
【符号の説明】
【００５３】
１，５    電子機器
１０    前面パネル
１１    パネル本体
１１ａ    操作スイッチ
１１ｂ    表示器
１１ｃ    段部
１１ｄ    切欠き
１１ｅ    凹み部
１１ｆ    凸部
１１ｇ    後方延在部
１２    パネルマスク
１２ｄ    切欠き
１３    シールパッキン
１３ｂ    耳部
１３ｃ    係合凹部
１３ｄ    角孔
１５    プリント基板（回路基板）
１９    ラッチ（係合部）
１９ａ    凸状部
１９ｂ    テーパ部（受力部）
２０    ケース
２０ａ    開口部
２０ｂ    段部
２０ｃ    前方張り出し部
２０ｄ    開口縁部
２０ｆ    開口内壁
２５    端子
２５ａ    ネジ部
２５ｂ    弾性片（コネクタ）
２９    ラッチ係合孔（係合部）
４０    挿入孔
４１    プラグ
４１ａ    シール凸部
４１ｂ    取付孔
５０    前面パネル
５１    操作ノブ
５２    溝
５５    プリント基板
５７    ラッチ片
６０    ケース
６５    端子
７０    ゴムパッキン
７１    パッキンカバー部
Ｄ    マイナスドライバー
Ｐ    制御盤
【図１】
2005108897.tif 000003
【図２】
2005108897.tif 000004
【図３】
2005108897.tif 000005
【図４】
2005108897.tif 000006
【図５】
2005108897.tif 000007
【図６】
2005108897.tif 000008
【図７】
2005108897.tif 000009
【図８】
2005108897.tif 000010
【図９】
2005108897.tif 000011
【図１０】
2005108897.tif 000012
【図１１】
2005108897.tif 000013
【図１２】
2005108897.tif 000014